(57)【要約】  【課題】利用者が移動しようとしている目的地を自動で特定し、その目的地が含まれる地域に割り当てられているチャンネルリストを取得することができる携帯端末装置、およびチャンネルリスト取得システムを提供する。  【解決手段】テレビ受信部２２は、非接触ＩＣカード２１から目的地情報を読み出し、その目的地情報に対応する地域情報を特定し、通信部２４を介してその地域情報をサーバ３に送信する。サーバ３は携帯端末装置２からの目的地の地域情報を受信し、その地域情報に対応するチャンネルリスト情報を取得し、携帯端末装置２へ送信する。携帯端末装置２が、サーバ３から送られてきた目的地チャンネルリストを取得し、その取得したチャンネルでテレビ放送送信されたテレビ放送を受信する。【選択図】図１
2008028725.tif 000002
【特許請求の範囲】
【請求項１】
あるチャンネルでテレビ放送送信されたテレビ放送を受信するテレビ受信部と、各種サービスに利用可能なＩＣチップと、所定の地域においてテレビ放送送信に用いられているチャンネルの一覧情報を記憶した記憶部と、を含んで構成される携帯端末装置であって、
前記テレビ受信部は、前記ＩＣチップに記録された、あるサービスを利用するために特定されるべき目的地に関する情報を基に、当該目的地を含む地域においてテレビ放送送信に用いられているチャンネルの一覧情報を前記記憶部から取得し、その取得したチャンネルでテレビ放送送信されたテレビ放送を受信する、
携帯端末装置。
【請求項２】
請求項１記載の携帯端末装置であって、
前記テレビ受信部は、前記ＩＣチップに記録された、あるサービスを利用するために特定されるべき目的地に関する情報を基に、当該目的地を含む地域に隣接する地域においてテレビ放送送信に用いられているチャンネルの一覧情報を前記記憶部から取得し、その取得したチャンネルでテレビ放送送信されたテレビ放送を受信する、
携帯端末装置。
【請求項３】
請求項１記載の携帯端末装置であって、
前記テレビ受信部は、前記ＩＣチップに記録された、あるサービスを利用するために特定されるべき目的地に関する情報と出発地に関する情報を基に、当該出発地から当該目的地に至るまでの経路の一部を含む地域においてテレビ放送送信に用いられているチャンネルの一覧情報を前記記憶部から取得し、その取得したチャンネルでテレビ放送送信されたテレビ放送を受信する、
携帯端末装置。
【請求項４】
あるチャンネルでテレビ放送送信されたテレビ放送を受信するテレビ受信部と各種サービスに利用可能なＩＣチップを備えた携帯端末装置と、所定の地域においてテレビ放送送信に用いられているチャンネルの一覧情報を記憶した外部記憶装置と、から構成されるチャンネルリスト取得システムであって、
前記携帯端末装置は、前記ＩＣチップに記録された、あるサービスを利用するために特定されるべき目的地に関する情報を基に、当該目的地を含む地域においてテレビ放送送信に用いられているチャンネルの一覧情報を前記外部記憶装置から取得し、その取得したチャンネルでテレビ放送送信されたテレビ放送を前記テレビ受信部によって受信する、
チャンネルリスト取得システム。
【請求項５】
請求項４記載のチャンネルリスト取得システムであって、
前記携帯端末装置は、前記ＩＣチップに記録された、あるサービスを利用するために特定されるべき目的地に関する情報を基に、当該目的地を含む地域に隣接する地域においてテレビ放送送信に用いられているチャンネルの一覧情報を前記外部記憶装置から取得し、その取得したチャンネルでテレビ放送送信されたテレビ放送を前記テレビ受信部によって受信する、
チャンネルリスト取得システム。
【請求項６】
請求項１記載のチャンネルリスト取得システムであって、
前記テレビ受信部は、前記ＩＣチップに記録された、あるサービスを利用するために特定されるべき目的地に関する情報と出発地に関する情報を基に、当該出発地から当該目的地に至るまでの経路の一部を含む地域においてテレビ放送送信に用いられているチャンネルの一覧情報を前記外部記憶装置から取得し、その取得したチャンネルでテレビ放送送信されたテレビ放送を前記テレビ受信部によって受信する、
チャンネルリスト取得システム。
【発明の詳細な説明】
【技術分野】
【０００１】
本発明は、ある地域に存在する各テレビ放送局によってテレビ放送送信に用いられているチャンネルの一覧情報を取得し、その取得したチャンネルの一覧情報を参照してテレビ放送を受信する携帯端末装置、およびチャンネルリスト取得システムに関する。
【背景技術】
【０００２】
移動しながらテレビ放送を受信可能なテレビ端末の中には、テレビ放送用に割り当てられた周波数帯の全帯域における受信電波強度を測定し、測定した受信電界強度がある閾値を越える周波数帯域を特定することによって、その携帯端末が存在する地域におけるチャンネルを決定する機能を備えたものがある（この機能は、オートサーチと呼ばれることがある）。なお、ここでいうチャンネルは、物理チャンネルおよび論理チャンネルの両方、あるいはそのいづれかを指しており、このチャンネルによる選局とは、アナログ放送における物理周波数（チャンネル）による選択、およびデジタル放送における物理周波数選局後の論理チャンネルの選択、の両方の意味を含んでいる。
【０００３】
しかしながら、上述の「オートサーチ」の処理によって携帯端末が存在する地域におけるチャンネルについての情報（以下、チャンネルリストと称する場合がある）を取得するには時間がかかってしまう。このため、上述の「オートサーチ」を用いず、各地域に割り当てられているチャンネルリストを全地域分記憶するデータベースを備え、このデータベースから当該装置が存在する地域に割り当てられているチャンネルリストを読み出すことにより、チャンネルリストを取得するものがある（特許文献１）。また、このデータベースにチャンネルリストを取得するための問い合わせをする際に、カーナビゲーションシステム等の入力装置により入力した目的地を基に、その目的地が含まれる地域に割り当てられているチャンネルリストを取得するものがある（特許文献２、３）。
【特許文献１】特開２００３−３０４４５７号公報
【特許文献２】特開２００４−２６０６１３号公報
【特許文献３】特開２００３−３０４４５７号公報
【発明の開示】
【発明が解決しようとする課題】
【０００４】
しかしながら、特許文献２、３の入力装置では、装置利用者が目的地を自身で入力しなければ、その目的地が含まれる地域に割り当てられているチャンネルリストを取得することができない。これは、装置利用者にとって負担を強いることになる。
【０００５】
本発明は、上記事情に鑑みてなされたもので、利用者が移動しようとしている目的地を自動で特定し、その目的地が含まれる地域に割り当てられているチャンネルリストを取得することができる携帯端末装置、およびチャンネルリスト取得システムを提供することを目的とする。
【課題を解決するための手段】
【０００６】
本発明の携帯端末装置は、あるチャンネルでテレビ放送送信されたテレビ放送を受信するテレビ受信部と、各種サービスに利用可能なＩＣチップと、所定の地域においてテレビ放送送信に用いられているチャンネルの一覧情報を記憶した記憶部と、を含んで構成される携帯端末装置であって、
【０００７】
前記テレビ受信部は、前記ＩＣチップに記録された、あるサービスを利用するために特定されるべき目的地に関する情報を基に、当該目的地を含む地域においてテレビ放送送信に用いられているチャンネルの一覧情報を前記記憶部から取得し、その取得したチャンネルでテレビ放送送信されたテレビ放送を受信する構成を有している。
【０００８】
この構成によれば、利用者が移動しようとしている目的地を自動で特定し、その目的地が含まれる地域に割り当てられているチャンネルリストを取得することができる。このため、利用者がチャンネルリストを取得するために行う操作を簡略化することができる。
【０００９】
また、本発明の携帯端末装置は、上記テレビ受信部は、前記ＩＣチップに記録された、あるサービスを利用するために特定されるべき目的地に関する情報を基に、当該目的地を含む地域に隣接する地域においてテレビ放送送信に用いられているチャンネルの一覧情報を前記記憶部から取得し、その取得したチャンネルでテレビ放送送信されたテレビ放送を受信する構成を有している。
【００１０】
この構成によれば、あるサービスにおいて特定すべき目的地（例えば、駅、空港、インターチェンジ）とそのサービス利用者が本来意図している目的地（例えば、その駅からバスで移動しなければならないような場所）とにズレがあった場合にでも、サービス利用者が本来意図している目的地におけるチャンネルリストを取得しておくことができる。
【００１１】
さらに、本発明の携帯端末装置は、上記テレビ受信部は、前記ＩＣチップに記録された、あるサービスを利用するために特定されるべき目的地に関する情報と出発地に関する情報を基に、当該出発地から当該目的地に至るまでの経路の一部を含む地域においてテレビ放送送信に用いられているチャンネルの一覧情報を前記記憶部から取得し、その取得したチャンネルでテレビ放送送信されたテレビ放送を受信する構成を有している。
【００１２】
この構成によれば、目的地に至るまでの経路を含む地域におけるチャンネルリストを取得しておくことができるため、移動途中の地域におけるテレビ放送を受信することができる。
【００１３】
本発明のチャンネルリスト取得システムは、あるチャンネルでテレビ放送送信されたテレビ放送を受信するテレビ受信部と各種サービスに利用可能なＩＣチップを備えた携帯端末装置と、所定の地域においてテレビ放送送信に用いられているチャンネルの一覧情報を記憶した外部記憶装置と、から構成されるチャンネルリスト取得システムであって、上記携帯端末装置は、前記ＩＣチップに記録された、あるサービスを利用するために特定されるべき目的地に関する情報を基に、当該目的地を含む地域においてテレビ放送送信に用いられているチャンネルの一覧情報を前記外部記憶装置から取得し、その取得したチャンネルでテレビ放送送信されたテレビ放送を前記テレビ受信部によって受信する構成を有している。
【００１４】
この構成によれば、利用者が移動しようとしている目的地を自動で特定し、その目的地が含まれる地域に割り当てられているチャンネルリストを取得することができる。このため、利用者がチャンネルリストを取得するために行う操作を簡略化することができる。
【００１５】
また、本発明のチャンネルリスト取得システムは、上記携帯端末装置は、前記ＩＣチップに記録された、あるサービスを利用するために特定されるべき目的地に関する情報を基に、当該目的地を含む地域に隣接する地域においてテレビ放送送信に用いられているチャンネルの一覧情報を前記外部記憶装置から取得し、その取得したチャンネルでテレビ放送送信されたテレビ放送を前記テレビ受信部によって受信する構成を有している。
【００１６】
この構成によれば、あるサービスにおいて特定すべき目的地（例えば、駅、空港、インターチェンジ）とそのサービス利用者が本来意図している目的地（例えば、その駅からバスで移動しなければならないような場所）とにズレがあった場合にでも、サービス利用者が本来意図している目的地におけるチャンネルリストを取得しておくことができる。
【００１７】
また、本発明のチャンネルリスト取得システムは、上記テレビ受信部は、上記ＩＣチップに記録された、あるサービスを利用するために特定されるべき目的地に関する情報と出発地に関する情報を基に、当該出発地から当該目的地に至るまでの経路の一部を含む地域においてテレビ放送送信に用いられているチャンネルの一覧情報を前記外部記憶装置から取得し、その取得したチャンネルでテレビ放送送信されたテレビ放送を前記テレビ受信部によって受信する構成を有している。
【００１８】
この構成によれば、目的地に至るまでの経路を含む地域におけるチャンネルリストを取得しておくことができるため、移動途中の地域におけるテレビ放送を受信することができる。
【発明の効果】
【００１９】
本発明は、利用者が移動しようとしている目的地を自動で特定し、その目的地が含まれる地域に割り当てられているチャンネルリストを取得することができるという効果を有する携帯端末装置、およびチャンネルリスト取得システムを提供することができるものである。
【発明を実施するための最良の形態】
【００２０】
以下、本発明の実施形態のテレビ放送受信システムについて、図面を用いて説明する。
（第１の実施形態）
図１は、本発明の第１の実施形態のテレビ放送受信システムの構成を示すブロック図である。
図１において、テレビ放送受信システム１は、アナログテレビ放送を受信可能な携帯端末装置２と、チャンネル情報の一覧情報を記憶したサーバ３とを有する構成である。
【００２１】
携帯端末装置２は、各種サービスに利用可能な非接触ＩＣカード２１と、あるチャンネルでテレビ放送送信されたテレビ放送を受信するテレビ受信部２２と、所定の地域においてテレビ放送送信に用いられているチャンネルの一覧情報を記憶した記憶部２３と、チャンネル情報の一覧情報を記憶したサーバ３と通信を行い、サーバ３からチャンネル情報を取得する通信部２４と、携帯端末装置２の各部の動作を制御する制御部２５とを有して構成される。
【００２２】
非接触ＩＣカード２１は、例えば、交通機関のサービスを利用できる非接触ＩＣカードであり、この非接触ＩＣカード２１には、利用者が交通機関を利用するときの出発地および目的地などの目的地情報や、出発時刻及び到着時刻などの時刻情報が記録されている。
【００２３】
テレビ受信部２２は、テレビ放送送信されたテレビ放送を受信する機能を持つと同時に、非接触ＩＣカード２１に記録されている目的地情報を読み出し、その目的地情報に対応する地域情報を特定し、通信部２４を介してその地域情報をサーバ３に送信する。また、サーバ３から送られてきたチャンネルリストが記憶部２３に記憶され、テレビ受信部２２は記憶部２３から目的地のチャンネルリストを取得し、その取得したチャンネルでテレビ放送送信されたテレビ放送を受信する。ここで、非接触ＩＣカード２１に記録されている目的地情報は、例えば、新幹線あるいは電車を利用するときの目的地の駅名や、飛行機を利用するときの目的地の空港名などである。テレビ受信部２２で特定される地域情報は放送局が番組リスト記載のチャンネルに従って放送エリアとしてカバーしている地域を示す情報である。本発明のテレビ放送受信システムは、非接触ＩＣカード２１に記録されている目的地情報を利用して、その目的地情報により特定される地域のチャンネルリストを取得することによって、既にＩＣカードに登録されている目的地情報をチャンネルリストを取得するために有効活用することができ、その結果、チャンネルリストを取得する処理を自動化して、チャンネルリストを取得するためにユーザが逐次、そのチャンネルリストに対応する特定の地域を指定する操作を行う手間を省くことができる。
【００２４】
図２は、「新幹線」を利用した場合に非接触ＩＣカード２１に記録されている情報例と、目的地情報と地域情報を示す。
【００２５】
図２において、例えば、新幹線で新大阪から東京に移動するとき、非接触ＩＣカード２１には、出発地駅名の「新大阪駅」と、新大阪駅から出発する時刻「９：３０」と、目的地駅名の「東京駅」と東京駅に到着する時刻「１２：００」との情報２０１が記録されている。テレビ受信部２２は情報２０１のなかの目的地情報から目的地情報として駅名の「東京駅」を読み出し、その読み出した目的地情報の東京駅に対応する地域情報２０２、ここでは「東京」を特定する。また、各地域を特定な地域コードで表示する。
【００２６】
図３は、地域と地域コードの例を示す。この図３において、例えば、東京を地域コード「１０１」で表示し、大阪を地域コード「１２０」で表示する。
【００２７】
テレビ受信部２２が通信部２４を介してその地域情報をサーバ３に送信するのは、この特定された地域情報２０２に対応する地域コードである。図２の例の場合は、特定された地域は東京であるので、サーバ３に送信するのは、東京に対応する地域コード「１０１」である。
【００２８】
サーバ３は携帯端末装置２からの地域情報を受信し、チャンネルリスト情報を送信する通信部３１と、地域コードとチャンネルリスト情報とを対応付けた対応テーブルを記憶する記憶部３２と、通信部３１と記憶部３２の動作を制御する制御部３３とを有して構成される。
【００２９】
図４は、地域コードとチャンネルリスト情報とを対応付けた対応テーブルの例を示す。図４に示すように、この対応テーブルは、地域コード４０２ごとに受信可能なチャンネル４０１を登録したものである。例えば、地域コード「１０１」において受信可能なチャンネル４０１「１３ｃｈ」、「１５ｃｈ」、「１８ｃｈ」が登録されているが、地域コード「１０１」において受信できない他のチャンネルは、登録されていない。
【００３０】
以上のように構成されたテレビ放送受信システムについて、図５に示すフローチャートを用いてその動作を説明する。
まず、携帯端末装置２のテレビ受信部２２が非接触ＩＣカード２１から目的地情報を取得する（ステップＳ５０１）。図２に示した新幹線で新大阪から東京に移動する例の場合、目的地情報として取得するのは「東京駅」である。
【００３１】
テレビ受信部２２がステップＳ５０１で取得した目的地情報を基に、目的地の地域情報、さらにその地域を示す地域コードを取得する（ステップＳ５０２）。ステップＳ５０１で取得した目的地は東京駅である場合、その東京駅に対応する「東京」の地域情報を取得し、さらに図３に示す地域と地域コードの例を参照してその地域コード「１０１」を取得する。
【００３２】
通信部２４が地域コードをサーバ３へ送信し（ステップＳ５０３）、サーバ３の通信部３１はその送信されてきた地域コードを受信する（ステップＳ５０４）。
【００３３】
通信部２４が受信した地域コードを制御部３３に通知し、制御部３３が地域コードを受け取ると、その地域コードと対応するチャンネルリスト情報を送出するよう記憶部３２に指示し、記憶部３２がその指示を受け取ると、図４に示した地域情報とチャンネルリスト情報とを対応付けた対応テーブルを参照して、当該地域情報に対応するチャンネルリスト情報を取得し、通信部３１へ送出し（ステップＳ５０５）、通信部３１が記憶部３２からのチャンネルリスト情報を取得し、携帯端末装置２へ送信する（ステップＳ５０６）。
【００３４】
携帯端末装置２の通信部２４がサーバ３からのチャンネルリスト情報を受信し（ステップＳ５０７）、記憶部２３がその受信したチャンネルリスト情報を記憶し（ステップＳ５０８）、テレビ受信部２２が目的地のチャンネルリスト情報を記憶部２３から取得し、その取得したチャンネルでテレビ放送送信されたテレビ放送を受信する（ステップＳ５０９）。
【００３５】
このような本発明の第１の実施形態のテレビ放送受信システムによれば、利用者が移動しようとしている目的地を自動で特定し、その目的地が含まれる地域に割り当てられているチャンネルリストを取得することができる。このため、利用者がチャンネルリストを取得するために行う操作を簡略化することができる。
【００３６】
なお、上記の説明では、サーバが地域情報とチャンネルリスト情報とを対応付けた対応テーブルを記憶する例について説明したが、サーバが記憶しているテーブル情報を携帯端末装置に記憶させる構成、つまり携帯端末装置のみからなる構成としてもよい。
また、上記の説明ではＩＣカードとして非接触型を例に記述したが、接触型ＩＣカードを用いた構成としてもよい。
【００３７】
（第２の実施形態）
次に、本発明の第２の実施形態のテレビ放送受信システムを説明する。
本発明の第２の実施形態のテレビ放送受信システムは、第１の実施形態の処理に加えて、地域情報によって特定される地域に地理的に隣接する地域におけるチャンネルリストも併せて携帯端末装置が受信する構成である。
【００３８】
図６は、例えば、新幹線降車後飛行機に交通手段を乗り換える際に、「東京駅」から「羽田空港」にいたるまでの移動によってチャンネルリストが変更する場合が想定される例を示す図である。このような場合に、非接触ＩＣカードに記録されているのは、新幹線で新大阪から東京に移動するときの出発地と目的地情報６０１と、飛行機で羽田空港から青森空港に移動するときの出発地と目的地情報６０２であり、予め、携帯端末装置が、非接触ＩＣカードから読み出した第一目的地の「東京駅」に対応する地域情報６０３を特定し、その地域情報６０３に対応するチャンネルリスト情報を受信しておくのに加え、その地域情報６０３により特定される地域の周りの地域情報６０４に対応するチャンネルリスト情報も併せて受信する。これによって、交通手段を乗り換えるによってチャンネルリストが変更する場合であっても対応できる。
【００３９】
図７は、本発明の第２の実施形態のテレビ放送受信システムの構成を示すブロック図である。
図７に示すテレビ放送受信システム７は、図１に示す第１の実施形態のテレビ放送受信システム１の構成において、サーバ３の代わりにサーバ８を設け、制御部３３の代わりに機能は若干異なる制御部８３を設けたものである。なお、図１に示した第１の実施形態のテレビ放送受信システム１と同一の構成要素には、同一の符号を付してその説明を省略する。
【００４０】
制御部８３は、例えば、隣接する地域は「１０１」、「１０２」、「１０３」…のように連番になった場合、通信部３１から目的地の地域コードを受け取ると、その地域コードの番号の±２くらいの範囲内と対応するチャンネルリスト情報を送出するよう記憶部３２に指示する。例えば、ある地域情報を１０１とすると、その周りの地域情報は９９、１００、１０２、１０３になり、制御部７３が記憶部３２に対して、１０１に対応するチャンネルリスト情報のほか、これら９９、１００、１０２、１０３に対応するチャンネルリスト情報を含むチャンネルリスト情報も送出するよう指示する。これによって、目的地のみではなく、その目的地と隣接する周りのチャンネルリスト情報も併せて携帯端末装置２に提供することができる。
【００４１】
以上のように構成されたテレビ放送受信システム７について、図８に示すフローチャートを用いてその動作を説明する。
【００４２】
図８において、サーバ８が地域情報を受信するまでの手順、すなわちステップＳ５０１〜５０４の動作は、図５に示した第１の実施形態と同じであるので説明を省略する。
【００４３】
ステップＳ５０４において、サーバ８の通信部３１は送信されてきた地域コードを受信すると、通信部２４が受信した地域コードを制御部８３に通知し、制御部８３が地域コードを受け取ると、受信した地域コード及びその地域コードの番号の±２くらいの範囲内と対応するチャンネルリスト情報を送出するよう記憶部３２に指示し、記憶部３２がその指示を受け取ると、図４に示した地域情報とチャンネルリスト情報とを対応付けた対応テーブルを参照して、当該地域及び当該地域と隣接する地域の情報に対応するチャンネルリスト情報を取得し、通信部３１へ送出する（ステップＳ８０１）。
【００４４】
ステップＳ８０１以降の手順、すなわちステップＳ５０６〜５０９の動作は、図５に示した第１の実施形態と同じであるので説明を省略する。
【００４５】
このような本発明の第２の実施形態のテレビ放送受信システムによれば、あるサービスにおいて特定すべき目的地（例えば、駅、空港、インターチェンジ）とそのサービス利用者が本来意図している目的地（例えば、その駅からバスで移動しなければならないような場所）とにズレがあった場合にでも、サービス利用者が本来意図している目的地におけるチャンネルリストを取得しておくことができる。
【００４６】
なお、上記の説明では、ある地域情報の番号の±２くらいの範囲内でその周りの地域情報を特定する例について説明したが、地域間で地理的に接している、接していないを別の対応テーブルに登録しておき、その対応テーブルを基に特定するようにしても良い。また、携帯端末装置がその周りの地域情報を特定して、それをサーバに送信し、サーバから複数の地域情報各々に対応するチャンネルリスト情報を受信する構成でも良い。
【００４７】
（第３の実施形態）
次に、本発明の第３の実施形態のテレビ放送受信システムを説明する。
本発明の第３の実施形態のテレビ放送受信システムは、出発地と目的地間にある中継地のチャンネルリストを携帯端末装置が取得する構成である。
【００４８】
図９は、例えば、東海道新幹線で新大阪駅から東京駅に移動するとき主要中継地の１つである「名古屋駅」を想定する例を示す図である。このような場合に、携帯端末装置が出発地「新大阪駅」と目的地「東京駅」と経路「東海道新幹線」とから主要中継地の１つである「名古屋駅」９０１を特定し、その特定した名古屋駅９０１に対して第１の実施形態と同様の処理を行う。
【００４９】
図１０は、本発明の第３の実施形態のテレビ放送受信システムの構成を示すブロック図である。
図１０に示すテレビ放送受信システム１０は、図１に示す第１の実施形態のテレビ放送受信システム１の構成において、テレビ受信部２２の代わりに機能は若干異なるテレビ受信部１１０２を設けたものである。なお、図１に示した第１の実施形態のテレビ放送受信システム１と同一の構成要素には、同一の符号を付してその説明を省略する。
【００５０】
テレビ受信部１１０２は、非接触ＩＣカード２１に記録されている出発地及び目的地情報を読み出し、その目的地情報に対応する地域情報を特定し、また、出発地及び目的地情報から主要中継地を特定し、通信部２４を介してその目的地及び主要中継地の地域情報をサーバ３に送信する。また、サーバ３から送られてくる目的地及び主要中継地のチャンネルリストが記憶部２３に記憶され、テレビ受信部２２は記憶部２３から目的地及び主要中継地のチャンネルリストを取得し、その取得したチャンネルでテレビ放送送信されたテレビ放送を受信する。ここで、非接触ＩＣカード２１に記録されている「新大阪駅」と目的地「東京駅」と経路「東海道新幹線」とから主要中継地の１つである「名古屋駅」を特定し、その主要中継地「名古屋駅」に対しても目的地の「東京駅」と同様な処理を行う。
【００５１】
以上のように構成されたテレビ放送受信システム１０について、図１１に示すフローチャートを用いてその動作を説明する。
まず、携帯端末装置１１のテレビ受信部１１０２が非接触ＩＣカード２１から出発地及び目的地情報を取得する（ステップＳ１１０１）。図９に示す東海道新幹線で新大阪から東京に移動する例の場合、出発地情報として「新大阪駅」を取得し、目的地情報として「東京駅」を取得する。
【００５２】
テレビ受信部１１０２がステップＳ１１０１で取得した出発地及び目的地情報を基に、主要中継地を特定し（ステップＳ１１０２）、目的地の地域情報、及び主要中継地の地域情報、さらにそれらの地域を示す地域コードを取得する（ステップＳ１１０３）。ステップＳ１１０１で取得した出発地は新大阪駅であり、目的地は東京駅である場合、「名古屋駅」を主要中継地として特定し、その東京駅に対応する「東京」の地域情報及び名古屋駅に対応する「名古屋」の地域情報を取得し、さらに図３に示す地域と地域コードの例を参照してその地域コード「１０１」及び「１１０」を取得する。
【００５３】
通信部２４が目的地及び主要中継地の地域コードをサーバ３へ送信し（ステップＳ１１０４）、サーバ３の通信部３１はその送信されてきた地域コードを受信する（ステップＳ１１０５）。
【００５４】
通信部２４が受信した地域コードを制御部３３に通知し、制御部３３が地域コードを受け取ると、それら地域コードと対応するチャンネルリスト情報を送出するよう記憶部３２に指示し、記憶部３２がその指示を受け取ると、図４に示した地域情報とチャンネルリスト情報とを対応付けた対応テーブルを参照して、当該地域情報に対応するチャンネルリスト情報を取得し、通信部３１へ送出し（ステップＳ１１０６）、通信部３１が記憶部３２からのチャンネルリスト情報を取得し、携帯端末装置２へ送信する（ステップＳ１１０７）。ここで、携帯端末装置１１から送ってきたのは目的地の地域コード及び主要中継地の地域コードであるので、記憶部３２が取得するのも目的地の地域コードと対応するチャンネルリスト情報及び主要中継地の地域コードと対応するチャンネルリスト情報であり、通信部３１が携帯端末装置１１へ送信するのもこの目的地の地域コードと対応するチャンネルリスト情報及び主要中継地の地域コードと対応するチャンネルリスト情報である。
【００５５】
ステップＳ１１０７以降の手順、すなわちステップＳ５０７〜５０９の動作は、図５に示した第１の実施形態と同じであるので説明を省略する。
【００５６】
このような本発明の第３の実施形態のテレビ放送受信システムによれば、目的地に至るまでの経路を含む地域におけるチャンネルリストを取得しておくことができるため、移動途中の地域におけるテレビ放送を受信することができる。
【００５７】
なお、第１、２および３の実施形態のテレビ放送受信システムででは、アナログテレビ放送を携帯端末装置が受信するシステムについて詳細に説明したが、デジタルテレビ放送を携帯端末装置が受信するシステムでは、その処理が若干異なる。すなわち、アナログテレビ放送を受信する場合には、ある地域におけるチャンネルについての情報（アナログテレビ放送を受信可能な周波数帯）をテレビ視聴前にサーバから取得しておけば、テレビ局が提供するテレビ番組コンテンツを特定することができるが、デジタルテレビ放送を受信する場合には、ある地域におけるチャンネルについての情報（デジタルテレビ放送を受信可能な周波数帯）と、その周波数帯で伝送されているデータ（ＴＳパケット)の選局情報（ＰＩＤ（Packet Identification：パケット識別子）やＰＳＩ（Program Series Infomation）に含まれる）をテレビ視聴前にサーバから取得しておかないと、テレビ局が提供するテレビ番組コンテンツを特定することができない。このため、デジタルテレビ放送を携帯端末装置が受信するシステムでは、ある地域におけるチャンネルについての情報とその周波数帯で伝送されているデータの選局情報についての対応テーブルをサーバ３に登録しておく必要がある。このようなデジタルテレビ放送を携帯端末装置が受信するシステムでは、携帯端末装置２の通信部２４がサーバ３からのチャンネルリスト情報（ＰＩＤやＰＳＩに関する情報も含む）を受信し、記憶部２３がその受信したチャンネルリスト情報を記憶し、テレビ受信部２２が目的地のチャンネルリスト情報を記憶部２３から取得し、その取得したチャンネルにおける特定のＰＩＤが割り当てられたテレビ放送送信されたテレビ放送を受信することになる。
【産業上の利用可能性】
【００５８】
以上のように、本発明にかかる携帯端末装置、およびチャンネルリスト取得システムは、利用者が移動しようとしている目的地を自動で特定し、その目的地が含まれる地域に割り当てられているチャンネルリストを取得することによって、チャンネルリストを取得する処理を自動化して、チャンネルリストを取得するためにユーザが逐次、そのチャンネルリストに対応する特定の地域を指定する操作を行う手間を省くことができるという効果を有し、ある地域に存在する各テレビ放送局によってテレビ放送送信に用いられているチャンネルの一覧情報を取得し、その取得したチャンネルの一覧情報を参照してテレビ放送を受信する携帯端末装置、およびチャンネルリスト取得システム等として有用である。
【図面の簡単な説明】
【００５９】
【図１】本発明の第１の実施形態のテレビ放送受信システムの構成を示すブロック図
【図２】「新幹線」を利用した場合に非接触ＩＣカード２１に記録されている情報例と、目的地情報と地域情報を示す図
【図３】地域と地域コードの例を示す図
【図４】地域コードとチャンネルリスト情報とを対応付けた対応テーブルの例を示す図
【図５】本発明の第１の実施形態のテレビ放送受信システムの動作を示すフローチャート図
【図６】新幹線降車後飛行機に交通手段を乗り換える際に、「東京駅」から「羽田空港」にいたるまでの移動によってチャンネルリストが変更する場合が想定される例を示す図
【図７】本発明の第２の実施形態のテレビ放送受信システムの構成を示すブロック図
【図８】本発明の第２の実施形態のテレビ放送受信システムの動作を示すフローチャート図
【図９】東海道新幹線で新大阪駅から東京駅に移動するとき主要中継地の１つである「名古屋駅」を想定する例を示す図
【図１０】本発明の第３の実施形態のテレビ放送受信システムの構成を示すブロック図
【図１１】本発明の第３の実施形態のテレビ放送受信システムの動作を示すフローチャート図
【符号の説明】
【００６０】
１、７、１０  テレビ放送受信システム
２、１１  携帯端末装置
３、８  サーバ
２１  非接触ＩＣカード
２２、１１０２  テレビ受信部
２３、３２  記憶部
２４、３１  通信部
２５、３３、８３  制御部
【図１】
2008028725.tif 000003
【図２】
2008028725.tif 000004
【図３】
2008028725.tif 000005
【図４】
2008028725.tif 000006
【図５】
2008028725.tif 000007
【図６】
2008028725.tif 000008
【図７】
2008028725.tif 000009
【図８】
2008028725.tif 000010
【図９】
2008028725.tif 000011
【図１０】
2008028725.tif 000012
【図１１】
2008028725.tif 000013